(57)【要約】【課題】ビデオサーバーに放送素材の映像信号を収録する制御をおこなう制御端末の収録スケジュール一覧表示において、短い収録スケジュールの表示および選択を行う。【解決手段】映像信号記録再生装置とビデオサーバーと制御装置と制御端末とを有し、映像信号を映像ファイルデータとして収録し再生するビデオサーバーシステムにおいて、上記制御端末の画面表示されている上記収録スケジュールを一覧で帯表示し、極端に短い収録スケジュールは時間拡大表示し、該時間拡大表示した極端に短い収録スケジュールにマウスカーソルを合わせることで、該当するスケジュールを選択する。【選択図】図１
2012060225.tif 000002
【特許請求の範囲】
【請求項１】
放送素材の映像信号をタイムコード単位で記録再生する映像信号記録再生装置と、放送素材をエンコードして映像ファイルデータとして収録し再生した映像ファイルデータをデコードして映像信号として出力するビデオサーバーと、収録スケジュールを登録し、管理するとともに、スケジュールに沿って該ビデオサーバの収録と再生と上記映像信号記録再生装置とを制御する制御装置と制御端末とを有し、放送素材の映像信号を映像ファイルデータとして収録し再生するビデオサーバーシステムにおいて、
上記制御端末の画面表示されている上記収録スケジュールを一覧で帯表示し、極端に短い収録スケジュールは時間拡大表示し、該時間拡大表示した極端に短い収録スケジュールにマウスカーソルを合わせることで、該当するスケジュールを選択する機能を備えたことを特徴とする制御端末。
【発明の詳細な説明】
【技術分野】
【０００１】
本発明は、番組素材を、ビデオサーバーに映像ファイルデータ形式で記録した上でオンエアーする方式のいわゆるテープレスシステムに関するものである。
【背景技術】
【０００２】
テレビジョン放送業務では、従来からビデオサーバーを備えたノンリニアバンクシステムを用い、ＶＴＲ(Video Tape Recorder）等の記録装置に記録されている番組やＣＭ等の放送素材を、ビデオサーバーに記録（以下収録と省略）した上でオンエアーして放送している（特許文献１参照）。ビデオサーバーの入出力信号が非圧縮の映像信号から、圧縮された映像ファイルデータ形式となり、テープレスシステムと呼称されるようになった。
つまり、テープレスシステムでは、放送素材の映像信号をＭＰＥＧ（Moving  Picture  Experts  Group）等で動画圧縮（エンコード）し、映像ファイルデータとして収録し再生する。
【０００３】
テープレスシステムの構成を示すブロック図を図１に示す。
外部の様々な回線から素材が伝送されるマトリクススイッチャの２と、運用者が収録業務を行うために操作する収録端末の５と、その操作内容からエンコーダの３を制御する収録コントローラの４とがある。収録端末の５にはGUI画面表示用の端末表示画面（ディスプレイ）の６と映像確認画面（ピクチャーモニタ）の７が付属している。
マトリクススイッチャの２は収録端末の４からの映像の切替の指示を受け、映像確認画面（ピクチャーモニタ）の７にその映像を出力する。エンコーダの３は収録コントローラの４からの制御でマトリクススイッチャの２から入力された映像を収録、圧縮してビデオサーバーの８に保存する。また収録開始・終了日時、タイトルなどの情報は情報管理サーバーの9に保存する。
【０００４】
端末表示画面（ディスプレイ）の６に表示されている収録スケジュール一覧は、文字だけの情報ではなく、タイムライン上にスケジュールが帯で表示され、帯の長さで収録時間、帯の色で収録中・収録済などのステータスが表現されており、視覚的にユーザーにわかりやすいインターフェイスとなっている。
図６は従来の収録端末に表示される収録スケジュール一覧表示画面である。収録スケジュールが系統順に並び、収録する時間帯によって帯表示される。帯の左端は収録開始時刻、右端は収録終了時刻、長さは収録内容時間を表す。中のテキストは、回線名とタイトルである。また収録の状態により、収録済＝緑、収録中＝赤、待機中＝青で帯の色が変わる。また、NGとなった収録スケジュールは、帯表示ではなく、割当NGスケジュール一覧として一覧表示される。
図７は従来の収録スケジュール一覧表示画面において任意のスケジュールの帯表示を選択しているものである。任意のスケジュールを選択する通常黒で表示される帯表示の枠が赤色（図では点線）で表示され、スケジュールの詳細が画面下部に表示される。
図８は従来の短収録スケジュールを登録した際の画面表示について表したものである。ここでは「1系統  09:40〜09:41」の1分間のスケジュールで登録した場合を例としているが、スケジュールが短いため通常の描画処理では画面上に表示されないという問題があった。また、収録中のスケジュールを１分未満で途中終了した場合でも同様である。
【０００５】
ただし、このような帯表示されるスケジュールにおいては、収録時間が長いスケジュールだと画面表示においては問題がないが、収録時間が1分未満といった極端に短いスケジュールは画面上に表示されなくなるという問題点があった。
また収録スケジュールの変更や収録内容の詳細を確認する際に、該当スケジュールの帯表示をクリックして選択する操作を行うが、そのような短いスケジュールは選択しづらいという問題点があった。
【先行技術文献】
【特許文献】
【０００６】
【特許文献１】特開２００５ −２１０４９０号公報
【発明の概要】
【発明が解決しようとする課題】
【０００７】
本発明は、ビデオサーバーに放送素材の映像信号を収録する制御をおこなう制御端末の収録スケジュール一覧表示において、短い収録スケジュールの表示および選択が行えることを目的とする。
【課題を解決するための手段】
【０００８】
本発明は、上記の目的を達成するために、放送素材の映像信号をタイムコード単位で記録再生する映像信号記録再生装置と、放送素材をエンコードして映像ファイルデータとして収録し再生した映像ファイルデータをデコードして映像信号として出力するビデオサーバーと、収録スケジュールを登録し、管理するとともに、スケジュールに沿って該ビデオサーバーの収録と再生と上記映像信号記録再生装置とを制御する制御装置と制御端末とを有し、放送素材の映像信号を映像ファイルデータとして収録し再生するテープレスシステムにおいて、上記制御端末の画面表示されている上記収録スケジュールを一覧で帯表示し、極端に短い収録スケジュールは時間拡大表示し、該時間拡大表示した極端に短い収録スケジュールにマウスカーソルを合わせることで、該当するスケジュールを選択する機能を備えたことを特徴とする制御端末である。
【発明の効果】
【０００９】
以上のように本発明によれば、ビデオサーバーに放送素材の映像信号を収録する制御をおこなう制御端末の収録スケジュール一覧表示において、短い収録スケジュールの表示および選択が行えることができる。
【図面の簡単な説明】
【００１０】
【図１】本発明の１実施例のテープレスシステムの構成を示すブロック図
【図２】本発明の１実施例のテープレスシステムの収録端末のスケジュール選択状態示画面の模式図
【図３】本発明の１実施例のテープレスシステムの収録端末のスケジュール選択状態示画面の模式図（同時間帯に複数のスケジュールが存在したときスケジュールを重ねて表示）
【図４】本発明の１実施例のテープレスシステムの収録端末のスケジュール選択状態示画面の模式図（画面上で重なっている複数の収録スケジュールの中から、任意の１つの収録スケジュールを選択）
【図５】本発明の１実施例のテープレスシステムの収録端末のスケジュール選択状態示画面の模式図（複数の収録スケジュールを選択）
【図６】従来のテープレスシステムの収録端末の収録スケジュール一覧表示画面の模式図
【図７】従来のテープレスシステムの収録端末の収録スケジュール一覧表示画面の模式図（任意のスケジュールの帯表示を選択）
【図８】従来のテープレスシステムの収録端末の収録スケジュール一覧表示画面の模式図（短収録スケジュールを登録）
【発明を実施するための形態】
【実施例１】
【００１１】
まず本発明の１実施例のテープレスシステムの収録動作を本発明の１実施例のテープレスシステムの構成を示すブロック図の図１を用いて説明する。
【００１２】
本発明の１実施例のテープレスシステムの構成を示すブロック図の図１において、２はマトリクススイッチャ、３はエンコーダ、４は制御装置（収録コントローラ）、５は収録再生端末（登録／プレビュー端末）、６はGUI画面表示用の端末表示画面（ディスプレイ）、７は映像確認画面（ピクチャーモニタ）、８はビデオサーバー、９は情報管理サーバーである。
【００１３】
放送素材収録時はまず、他局からの放送素材の映像信号（High  Definition−Serial  Digital  Interface：ＨＤ−ＳＤＩ：ＳＤＩと省略）や映像信号記録再生装置（ＶＴＲ）からの映像信号（ＳＤＩ）は、マトリクススイッチャ２を経由して、エンコーダ３で映像ファイルデータに変換されビデオサーバー８に収録する。一定時間経過後、収録されている素材は時差再生（プレビュー）が可能となり、ビデオサーバー８から再生された映像ファイルデータはデコードされ映像信号（ＳＤＩ）として出力され、マトリックススイッチャ２を介して収録端末５にに入力することで、GUI画面表示用の端末表示画面（ディスプレイ）６に表示することにより、事前映像確認（プレビュー）を行なう。
【００１４】
図２は本発明の１実施例の収録端末に表示される収録スケジュール一覧表示画面である。収録スケジュールが系統順に並び、収録する時間帯によって帯表示される。帯の左端は収録開始時刻、右端は収録終了時刻、長さは収録内容時間を表す。中のテキストは、回線名とタイトルである。また収録の状態により、収録済＝緑、収録中＝赤、待機中＝青で帯の色が変わる。また、NGとなった収録スケジュールは、帯表示ではなく、割当NGスケジュール一覧として一覧表示される。
本発明の１実施例の図２の帯表示において最小単位を定義することでどんなに短いスケジュールでも画面上に表示させることを実現した。なお最小単位は帯の色と枠の色（選択状態）が画面上で正しく認識できる大きさとする。
【００１５】
図３は同時間帯に複数のスケジュールが存在したとき、今回のような描画処理とした場合は、スケジュールを重ねて表示させるようにしている。このとき、収録が間近に迫っているスケジュール、あるいは一番最近に収録されたスケジュールが表示上重なり合っているスケジュールの中で最前面に来るものとする。
【００１６】
図４は画面上で重なっている複数の収録スケジュールの中から、任意の１つの収録スケジュールを選択している様子を表す。選択されたスケジュールは赤枠で最前面に表示される。
【００１７】
図５は複数の収録スケジュールを選択している様子を表す。マウスの右クリックでドラッグすることで四角い枠が表示され、その範囲内にある収録スケジュールを選択することができる。このとき、最前面にあるスケジュールを選択状態とし、その他のスケジュールは仮選択状態とする。選択状態となったスケジュールは画面下部にスケジュールの詳細表示が行われ、収録スケジュールの変更などの各種操作の対象となる。選択状態となっているスケジュールは通常の選択のときと同様に赤枠で表示されるが、仮収録状態のスケジュールはそれよりも細い線で赤枠で表示される。そして複数選択状態のとき、マウスの左クリックで仮収録状態となっているスケジュールを選択状態に変更することが可能である。この操作はキーボードの方向キーでも行うことができる。
【００１８】
つまり、本発明により、制御端末の画面上で重なって選択しづらい場合でも容易に収録スケジュールの選択が可能となる。
【符号の説明】
【００１９】
２：マトリクススイッチャ、３：エンコーダ、４：制御装置（収録コントローラ）、
５：収録再生端末（登録／プレビュー端末）、６：端末表示画面（ディスプレイ）、
７：映像確認画面（ピクチャーモニタ）、８：ビデオサーバー、9：情報管理サーバー
【図１】
2012060225.tif 000003
【図２】
2012060225.tif 000004
【図３】
2012060225.tif 000005
【図４】
2012060225.tif 000006
【図５】
2012060225.tif 000007
【図６】
2012060225.tif 000008
【図７】
2012060225.tif 000009
【図８】
2012060225.tif 000010